(57)【要約】【課題】  入金の手間を抑制し入金のための時間を短縮することができる入金システムの提供。【解決手段】  複数の入金機１２とこれら入金機１２に接続されて売上金の管理を行う管理機１３とを有する入金システムにおいて、複数の入金機１２の個々の入金可不可状態を表示する共用の状態表示装置１７を有する。入金者はまず状態表示装置１７を確認して入金可な入金機１２を確認し、この入金機１２に行って入金処理を行う。【選択図】        図３
2006031352.tif 000002
【特許請求の範囲】
【請求項１】
複数の入金機とこれら入金機に接続されて売上金の管理を行う管理機とを有する入金システムにおいて、
前記複数の入金機の個々の入金可不可状態を表示する共用の状態表示装置を有することを特徴とする入金システム。
【請求項２】
前記状態表示装置は、個々の前記入金機毎に使用中であるか否かを表示することを特徴とする請求項１記載の入金システム。
【請求項３】
前記状態表示装置は、個々の前記入金機毎に、少なくとも、入金残容量に余裕のある入金余裕状態、入金残容量の余裕が少なくなってきたニアフル状態および入金残容量がないフル状態の三状態が表示可能とされていることを特徴とする請求項１または２記載の入金システム。
【請求項４】
前記状態表示装置は、前記三状態を、全金種一括の紙幣区分および全金種一括の硬貨区分について表示可能とされていることを特徴とする請求項３記載の入金システム。
【請求項５】
前記状態表示装置は、前記三状態を、紙幣の各収納部毎および硬貨の各収納部毎に表示可能とされていることを特徴とする請求項３記載の入金システム。
【請求項６】
前記状態表示装置は、前記三状態を、紙幣の各金種区分毎および硬貨の各金種区分毎に表示可能とされていることを特徴とする請求項３記載の入金システム。
【請求項７】
前記状態表示装置は、前記複数の入金機の個々の状態をリアルタイムに更新表示可能とされていることを特徴とする請求項１乃至６のいずれか一項記載の入金システム。
【請求項８】
前記状態表示装置は、前記複数の入金機の設置エリアの入口付近に設置されていることを特徴とする請求項１乃至７のいずれか一項記載の入金システム。
【発明の詳細な説明】
【技術分野】
【０００１】
本発明は、多数のレジを有する百貨店等において、これらレジの売上金を複数の入金機を有する共用のエリアにおいて入金処理する入金システムに関する。
【背景技術】
【０００２】
多数のレジを有する百貨店等において、これらレジの売上金を複数の入金機を有する共用のエリアにおいて入金処理する入金システムに関する技術がある（例えば特許文献１参照）。この入金システムにおいては、入金者毎に売上金の入金が完了しているかどうかを監視し、売上金を入金していない未入金者を知らせるとともに、未入金者に対する入金の督促を容易に行えるようになっている。
【特許文献１】特開平９−１２０４８５号公報
【発明の開示】
【発明が解決しようとする課題】
【０００３】
ところで、入金者は、共用の入金エリアにおいて、複数ある入金機のいずれかで入金処理を行うことになる。
【０００４】
これら複数の入金機が誰一人として入金を行っていない状況にあっては、すべての入金機の入金収納量がゼロであって、いずれの入金機においても、十分に入金残容量に余裕があり、充分に入金処理を受け付けることが可能な状態となっている。
【０００５】
一方、一般的な入金処理が過密な入金過密時間帯、すなわち閉店間際の時間帯から終業時間前の所定の時間帯にあっては、順次入金処理がなされていて、複数の入金機はそれぞれ異なる入金収納量となる。このため、まだ充分に入金処理を受け付けることが可能な入金機もあれば、紙幣または硬貨あるいはそれぞれの一部の金種において収納量が限界に近づき、次に行われる入金処理の入金額（入金額を構成する紙幣数または硬貨数）によっては、その入金処理途中で入金残容量がゼロとなるフル状態になってしまう入金機もある。入金中にフル状態になった場合には、再度、別の入金機によって入金処理を行わなければならず、必要以上に手間および時間がかかってしまう。
【０００６】
また、一般的に、入金機にあっては、その収納量を監視しており、したがって、後どれくらい収納が可能かを計算または検出でき、またその収納可能量を個々の表示装置に表示させることもできる。しかしながら、入金者が入金処理の前に、それぞれの入金機を操作してその収納量などを確認するのでは、やはり手間がかかってしまう。特に、入金過密時間帯には、多数の入金者が入金処理に来ていて、個々の入金機の収納量を確認することは現実問題として不可能である。
【０００７】
したがって、本発明は、入金の手間を抑制し入金のための時間を短縮することができる入金システムの提供を目的とする。
【課題を解決するための手段】
【０００８】
上記目的を達成するために、請求項１に係る発明は、複数の入金機とこれら入金機に接続されて売上金の管理を行う管理機とを有する入金システムにおいて、前記複数の入金機の個々の入金可不可状態を表示する共用の状態表示装置を有することを特徴としている。
【０００９】
請求項２に係る発明は、請求項１に係る発明において、前記状態表示装置は、個々の前記入金機毎に使用中であるか否かを表示することを特徴としている。
【００１０】
請求項３に係る発明は、請求項１または２に係る発明において、前記状態表示装置は、個々の前記入金機毎に、少なくとも、入金残容量に余裕のある入金余裕状態、入金残容量の余裕が少なくなってきたニアフル状態および入金残容量がないフル状態の三状態が表示可能とされていることを特徴としている。
【００１１】
請求項４に係る発明は、請求項３に係る発明において、前記状態表示装置は、前記三状態を、全金種一括の紙幣区分および全金種一括の硬貨区分について表示可能とされていることを特徴としている。
【００１２】
請求項５に係る発明は、請求項３に係る発明において、前記状態表示装置は、前記三状態を、紙幣の各収納部毎および硬貨の各収納部毎に表示可能とされていることを特徴としている。
【００１３】
請求項６に係る発明は、請求項３に係る発明において、前記状態表示装置は、前記三状態を、紙幣の各金種区分毎および硬貨の各金種区分毎に表示可能とされていることを特徴としている。
【００１４】
請求項７に係る発明は、請求項１乃至６のいずれか一項に係る発明において、前記状態表示装置は、前記複数の入金機の個々の状態をリアルタイムに更新表示可能とされていることを特徴としている。
【００１５】
請求項８に係る発明は、請求項１乃至７のいずれか一項に係る発明において、前記状態表示装置は、前記複数の入金機の設置エリアの入口付近に設置されていることを特徴とすしている。
【発明の効果】
【００１６】
請求項１に係る発明によれば、共用の状態表示装置が複数の入金機の個々の入金可不可状態を表示するため、入金者はまず状態表示装置を確認して入金可な入金機を確認し、この入金機に行って入金処理を行う。このように入金処理のために適切な入金機に向かうことができるため、入金の手間を抑制し入金のための時間を短縮することができる。
【００１７】
請求項２に係る発明によれば、共用の状態表示装置が複数の入金機の個々の入金可不可状態に加えて入金機毎に使用中であるか否かを表示するため、入金者はまず状態表示装置を確認して入金可かつ非使用中の入金機を確認し、この入金機に行って入金処理を行う。このように入金処理のためにさらに適切な入金機に向かうことができるため、入金の手間をさらに抑制し入金のための時間をさらに短縮することができる。
【００１８】
請求項３に係る発明によれば、状態表示装置が、個々の入金機毎に、少なくとも、入金残容量に余裕のある入金余裕状態、入金残容量の余裕が少なくなってきたニアフル状態および入金残容量がないフル状態の三状態を表示可能であるため、入金しようとする売上額に応じた適切な入金機に行って入金処理を行うことができる。例えば、ニアフル状態の入金機のみ空いている場合に、入金しようとする売上金が少なければ、このニアフル状態の入金機に行って入金処理を行うことができる。このように入金処理のためにさらに適切な入金機に向かうことができるため、待ち時間を含めた入金の時間をさらに短縮することができる。
【００１９】
請求項４に係る発明によれば、状態表示装置が、前記三状態を、全金種一括の紙幣区分および全金種一括の硬貨区分のそれぞれについて表示可能であるため、入金しようとする売上金の紙幣量および硬貨量それぞれに応じて適切な入金機に行って入金処理を行うことができる。例えば、硬貨がニアフル状態の入金機のみ空いている場合であっても、入金しようとする売上金の硬貨量が少なければ、このニアフル状態の入金機に行って入金処理を行うことができる。また、紙幣がニアフル状態の入金機のみ空いている場合であっても、入金しようとする売上金の紙幣量が少なければ、このニアフル状態の入金機に行って入金処理を行うことができる。このように入金処理のためにさらに適切な入金機に向かうことができるため、待ち時間を含めた入金の時間をさらに短縮することができる。
【００２０】
請求項５に係る発明によれば、状態表示装置が、前記三状態を、紙幣の各収納部毎および硬貨の各収納部毎に表示可能であるため、入金しようとする売上金の収納部毎の紙幣量および収納部毎の硬貨量それぞれに応じて適切な入金機に行って入金処理を行うことができる。例えば、硬貨の所定の収納部がニアフル状態の入金機のみ空いている場合であっても、入金しようとする売上金のうちこの収納部への硬貨量が少なければ、このニアフル状態の入金機に行って入金処理を行うことができる。また、紙幣の所定の収納部がニアフル状態の入金機のみ空いている場合であっても、入金しようとする売上金のうちこの収納部への紙幣量が少なければ、このニアフル状態の入金機に行って入金処理を行うことができる。このように入金処理のためにさらに適切な入金機に向かうことができるため、待ち時間を含めた入金の時間をさらに短縮することができる。
【００２１】
請求項６に係る発明によれば、状態表示装置が、前記三状態を、紙幣の各金種区分毎および硬貨の各金種区分毎に表示可能であるため、入金しようとする売上金の各金種毎の紙幣量および各金種毎の硬貨量それぞれに応じて適切な入金機に行って入金処理を行うことができる。例えば、硬貨の所定の金種がニアフル状態の入金機のみ空いている場合であっても、入金しようとする売上金のうちこの金種の硬貨量が少なければ、このニアフル状態の入金機に行って入金処理を行うことができる。また、紙幣の所定の金種がニアフル状態の入金機のみ空いている場合であっても、入金しようとする売上金のうちこの金種の紙幣量が少なければ、このニアフル状態の入金機に行って入金処理を行うことができる。このように入金処理のためにさらに適切な入金機に向かうことができるため、待ち時間を含めた入金の時間をさらに短縮することができる。
【００２２】
請求項７に係る発明によれば、状態表示装置が、複数の入金機の個々の状態をリアルタイムに更新表示可能とされているため、入金処理のために適切な入金機に向かうことが確実にできる。
【００２３】
請求項８に係る発明によれば、状態表示装置が、複数の入金機の設置エリアの入口付近に設置されているため、入金処理のために設置エリアに入口から入る入金者が無駄な動きをせずに状態表示装置を見ることができる。したがって、入金の手間をさらに抑制し入金のための時間をさらに短縮することができる。
【発明を実施するための最良の形態】
【００２４】
本発明の一実施形態の入金システムを図面を参照して以下に説明する。
【００２５】
図１に示す本実施形態の入金システム１０は、多数の図示略のレジを有する百貨店やショッピングセンター等において、これらレジの売上金を共用の入金室（エリア）１１において入金処理するシステムであり、入金室１１内に設置される図１および図２に示す複数具体的には６台の入金機１２とこれら入金機１２に接続されて売上金の管理を行うこれら入金機１２に共用の管理機１３とを有している。
【００２６】
管理機１３は、図３に示すように、制御部１５と、操作入力がなされると入力情報を制御部１５に出力する操作部１６と、制御部１５で制御されて表示を行う状態表示装置１７とを有しており、入金室１２の入口２０の付近に設置されている。管理機１３がすべての入金機１２に共用とされることで管理機１３の状態表示装置１７はすべての入金機１２に共用とされている。なお、管理機１３から状態表示装置１７のみを分離しても良く、この場合、状態表示装置１７のみを入金室１１の入口２０の付近に設置するのが良い。
【００２７】
また、入金機１２は、入金が行われる際に入金者情報（店舗の識別情報またはレジの識別情報）が入力され、その後入金を受け入れることで入金者情報に関連づけて入金金額等の入金額情報を記憶することになるが、管理機１３にはこれらの入金者情報および入金額情報が各入金機１２から制御部１５に入力されることになり、管理機１３はこれらの情報から店舗またはレジの個々の入金状況を管理するようになっている。つまり、各店舗または各レジのそれぞれについて入金機１２に入金が行われたか否か、入金が行われた時刻、入金金額等を管理する。
【００２８】
加えて、管理機１３には、個々の入金機１２における貨幣の収納状態等がリアルタイムで制御部１５に入力されることになり、この収納状態等から個々の入金機１２の入力可不可状態を管理する。
【００２９】
各入金機１２は、少なくとも硬貨と紙幣との入金が可能なもので、それぞれ、硬貨の選別計数を行う硬貨入金機構部２２と、紙幣の選別計数を行う紙幣入金機構部２３と、これらを制御する制御部２４と、操作入力がなされると入力情報を制御部２４に出力する操作部２５と、制御部２４で制御されて表示を行う表示部２６とが機体２７に一体的に設けられている。なお、入金機１２を硬貨および紙幣の出金も可能な入出金機で構成することも可能である。さらに、入金機１２を入金した硬貨および紙幣の出金も可能な環流式の入出金機で構成することも可能である。
【００３０】
図１および図２に示すように、各入金機１２には、入金室１１の入口２０の位置から一目で目視認識可能な機体２７の所定の表示位置２８に、入口２０の位置から一目で目視認識可能な大きさでそれぞれ個別の号機番号が表示されている。号機番号は入金機１２の配列の順番に付されている。
【００３１】
各入金機１２の制御部２４は、図３に示す硬貨入金機構部２２および紙幣入金機構部２３の少なくともいずれか一方に入金貨幣が投入された状態で、入金処理を開始する旨の操作入力が操作部２５に入力されると硬貨入金機構部２２および紙幣入金機構部２３の対応するものを駆動することになる。例えば、硬貨および紙幣が投入されると、駆動された硬貨入金機構部２２および紙幣入金機構部２３は硬貨の選別計数および紙幣の選別計数を行うことになり、選別計数後、制御部２４は計数結果を表示部２６に表示させる。そして、操作部２５に計数結果を確認する操作が入力されると、制御部２４は、入金金額を確定するとともに、硬貨入金機構部２２および紙幣入金機構部２３において選別計数した硬貨および紙幣を適宜分類して収納させる。
【００３２】
紙幣入金機構部２３は、具体的には、万円券用のスタッカ（収納部）３０と、千円券収納用のスタッカ（収納部）３１と、五千円券・二千円券共用のスタッカ（収納部）３２と、紙幣を金種混合で収納するスタッカ（収納部）３３とを有している。
【００３３】
硬貨入金機構部２２は、５００円硬貨用のスタッカ（収納部）３４と、１００円硬貨用のスタッカ（収納部）３５と、５０円硬貨用のスタッカ（収納部）３６と、１０円硬貨用のスタッカ（収納部）３７と、５円硬貨用のスタッカ（収納部）３８と、１円硬貨用のスタッカ（収納部）３９と、硬貨を金種混合で収納するスタッカ（収納部）４０とを有している。
【００３４】
そして、制御部２４は、万円券については万円券用のスタッカ３０に収納させ、このスタッカ３０がフル（満杯）状態になると、その後は万円券を金種混合のスタッカ３３に収納させる。同様に、千円券については千円券用のスタッカ３１に収納させ、このスタッカ３１がフル状態になると、その後は千円券を金種混合のスタッカ３３に収納させる。五千円券については五千円券・二千円券共用のスタッカ３２に収納させ、このスタッカ３２がフル状態になると、その後は五千円券を金種混合のスタッカ３３に収納させる。二千円券については五千円券・二千円券共用のスタッカ３２に収納させ、このスタッカ３２がフル状態になると、その後は二千円券を金種混合のスタッカ３３に収納させる。
【００３５】
また、５００円硬貨については５００円硬貨用のスタッカ３４に収納させ、このスタッカ３４がフル状態になると、その後は５００円硬貨を金種混合のスタッカ４０に収納させる。同様に、１００円硬貨については１００円硬貨用のスタッカ３５に収納させることになり、このスタッカ３５がフル状態になると、その後は１００円硬貨を金種混合のスタッカ４０に収納させる。５０円硬貨については５０円硬貨用のスタッカ３６に収納させることになり、このスタッカ３６がフル状態になると、その後は５０円硬貨を金種混合のスタッカ４０に収納させる。１０円硬貨については１０円硬貨用のスタッカ３７に収納させることになり、このスタッカ３７がフル状態になると、その後は１０円硬貨を金種混合のスタッカ４０に収納させる。５円硬貨については５円硬貨用のスタッカ３８に収納させることになり、このスタッカ３８がフル状態になると、その後は５円硬貨を金種混合のスタッカ４０に収納させる。１円硬貨については１円硬貨用のスタッカ３９に収納させることになり、このスタッカ３９がフル状態になると、その後は１円硬貨を金種混合のスタッカ４０に収納させる。
【００３６】
そして、各スタッカ３０〜４０には、それぞれ、貨幣の収納された収納量言い換えれば貨幣の残り収納可能な残容量を検出するためのセンサ４２〜４４が設けられている。つまり、各スタッカ３０〜４０には、収納量がフル状態に対し半分になるとこれを検出するハーフセンサ４２と、収納量がフル状態に近い所定量になるとこれを検出するニアフルセンサ４３と、収納量がフル状態になるとこれを検出するフルセンサ４４とが設けられている。各入金機１２は、それぞれの制御部２４がすべてのスタッカ３０〜４０のハーフセンサ４２、ニアフルセンサ４３およびフルセンサ４４の検出結果を管理機１３の制御部１５にリアルタイムで出力するようになっている。
【００３７】
また、各入金機１２は、それぞれの制御部２４がそれぞれ使用中（入金処理中）であるか否かを管理機１３の制御部１５にリアルタイムで出力する。例えば、制御部２４は、上記したように入金機１２に入金貨幣が投入されて操作部２５に入金処理を開始する旨の操作入力がなされると、その後、この入金処理についての計数結果を確認する操作が操作部２５に入力されるまでの間、使用中であることを示す信号を管理機１３の制御部１５に出力し、それ以外の状態では使用中でないことを示す信号を管理機１３の制御部１５に出力する。
【００３８】
さらに、各入金機１２は、それぞれの制御部２４がそれぞれ金庫交換中状態にあるか否かの情報を管理機１３の制御部１５にリアルタイムで出力する。入金機１２の制御部２４は、例えば、操作部２５に金庫交換を行う際の操作入力が入力されると、その後、すべてのスタッカ３０〜４０が機体２７に装填されかつ操作部２５に金庫交換が終了した際の操作入力が入力されるまでの間は、金庫交換中状態にあることを示す信号を管理機１３の制御部１５に出力し、それ以外の状態では金庫交換中状態にないことを示す信号を管理機１３の制御部１５に出力する。
【００３９】
そして、本実施形態において、管理機１３の制御部１５は、内部タイマの時刻情報から、現在予め設定された入金受付開始時刻から入金受付終了時刻までの間の入金受付時間にあるか否かの判断と、すべての入金機１２の制御部２４から出力されるそれぞれの全スタッカ３０〜４０のハーフセンサ４２、ニアフルセンサ４３およびフルセンサ４４のリアルタイムの検出結果と、すべての入金機１２の制御部２４から出力される全スタッカ３０〜４０の金庫交換中状態にあるか否かの情報とから、すべての入金機１２の個々の入金可不可状態を、すべての入金機１２に対し共用の状態表示装置１７にリアルタイムで表示させる。
【００４０】
つまり、現在予め設定された入金受付時間にある場合、管理機１３の制御部１５は、各入金機１２のそれぞれについて、紙幣および硬貨の金種混合の両スタッカ３３，４０のニアフルセンサ４３でニアフル状態が検出されず、かつスタッカ３０〜４０のいずれも金庫交換中状態になければ入金可状態と判定してその旨を状態表示装置１７に表示させる。
【００４１】
また、現在予め設定された入金受付時間にある場合、管理機１３の制御部１５は、各入金機１２のそれぞれについて、紙幣および硬貨の金種混合の両スタッカ３３，４０のいずれかがニアフルセンサ４３でニアフル状態が検出されるとともにフルセンサ４４でフル状態が検出されず、かつスタッカ３０〜４０のいずれも金庫交換中状態になければ入金可注意状態と判定してその旨を状態表示装置１７に表示させる。
【００４２】
さらに、現在予め設定された入金受付時間にある場合、管理機１３の制御部１５は、各入金機１２のそれぞれについて、紙幣および硬貨の金種混合の両スタッカ３３，４０のいずれかがフルセンサ４４でフル状態が検出されるか、またはスタッカ３０〜４０のいずれかが金庫交換中状態にあれば、入金不可状態と判定してその旨を状態表示装置１７に表示させる。
【００４３】
加えて、現在予め設定された入金受付時間にない場合、管理機１３の制御部１５は、入金不可状態と判定してその旨を状態表示装置１７に表示させる。
【００４４】
また、管理機１３の制御部１５は、すべての入金機１２の制御部２４から出力される個々の使用中か否か、つまり使用中か待機中かの状態を、入金可状態および入金可注意状態にあるときに限り状態表示装置１７にリアルタイムで表示させる。
【００４５】
加えて、管理機１３の制御部１５は、現在予め設定された入金受付時間にある場合に限り、予め設定された入金受付終了時刻までの残り時間を状態表示装置１７に表示させる。
【００４６】
具体的に、共用の状態表示装置１７は、図４に示すように、それぞれすべての号機番号毎に専用の表示エリア５０を有しており、これらとは別に共用の表示エリア８０を有している。
【００４７】
そして、管理機１３の制御部１５は、現在予め設定された入金受付時間にあって、号機番号１の入金機１２の制御部２４から出力される紙幣および硬貨の金種混合の両スタッカ３３，４０のハーフセンサ４２、ニアフルセンサ４３およびフルセンサ４４の検出結果に基づき、号機番号１の入金機１２の両スタッカ３３，４０のいずれもニアフル状態になくかつフル状態にもなく、しかも号機番号１の入金機１のスタッカ３０〜４０のいずれも金庫交換中状態にない場合は、号機番号１の入金機１が入金可状態にあるとして、状態表示装置１７の図４の最左列に示す号機番号１用の表示エリア５０の中の入金可不可表示エリア５１に、入金可不可状態の情報として入金可状態であることを示す「入金可」の文字を表示させる。
【００４８】
また、管理機１３の制御部１５は、現在予め設定された入金受付時間にあって、号機番号１の入金機１２の制御部２４から出力される紙幣および硬貨の金種混合の各スタッカ３３，４０のハーフセンサ４２、ニアフルセンサ４３およびフルセンサ４４の検出結果に基づき、号機番号１の入金機１２の両スタッカ３３，４０のいずれかがニアフル状態にありかつフル状態になく、しかも号機番号１の入金機１２のスタッカ３０〜４０のいずれも金庫交換中状態にない場合は、号機番号１の入金機１が入金可注意状態にあるとして、状態表示装置１７の号機番号１用の表示エリア５０の中の入金可不可表示エリア５１に入金可不可状態の情報として入金可注意状態であることを示す「入金可（注意）」の文字を表示させる。
【００４９】
さらに、上記以外の状態、つまり、現在予め設定された入金受付時間にない場合、号機番号１の入金機１２の紙幣および硬貨の金種混合の両スタッカ３３，４０のいずれかがフル状態にある場合および号機番号１の入金機１２のスタッカ３０〜４０のいずれかが金庫交換中状態にある場合のうちの少なくともいずれか一つの条件が満たされた状態では、号機番号１の入金機１２が入金不可状態にあるとして、状態表示装置１７の号機番号１用の表示エリア５０の中の入金可不可表示エリア５１に、入金可不可状態の情報として入金不可状態であることを示す「入金不可」の文字を表示させる。勿論、「入金可」、「入金可（注意）」および「入金不可」はいずれか一つのみが表示される。なお、「入金可」を青色、「入金可（注意）」を黄色、「入金不可」を赤色等で色分けしたり、点滅点灯等で区別するようにしても良い。
【００５０】
また、管理機１３の制御部１５は、号機番号１の入金機１２が、入金可状態にある場合と入金可注意状態にある場合とに限り、状態表示装置１７の号機番号１用の表示エリア５０の中の使用状態表示エリア５２に、号機番号１の入金機１２の制御部２４から出力される使用中か否かの信号に基づき、号機番号１の入金機１２が使用中であれば、その旨を示す「使用中」の文字を表示させる一方、号機番号１の入金機１２が使用中でなければ、待機中である旨を示す「待機中」の文字を表示させる。なお、「使用中」を黄色、「待機中」を赤色等で色分けしたり、点滅点灯等で区別するようにしても良い。
【００５１】
さらに、管理機１３の制御部１５は、号機番号１の入金機１２の制御部２４から出力される各スタッカ３０〜４０のハーフセンサ４２、ニアフルセンサ４３およびフルセンサ４４の検出結果に基づき、状態表示装置１７の号機番号１用の表示エリア５０のスタッカ３０用の残容量等表示エリア６０、スタッカ３１用の残容量等表示エリア６１、スタッカ３２用の残容量等表示エリア６２、スタッカ３３用の残容量等表示エリア６３、スタッカ３４用の残容量等表示エリア６４、スタッカ３５用の残容量等表示エリア６５、スタッカ３６用の残容量等表示エリア６６、スタッカ３７用の残容量等表示エリア６７、スタッカ３８用の残容量等表示エリア６８、スタッカ３９用の残容量等表示エリア６９、スタッカ４０用の残容量等表示エリア７０に、号機番号１の入金機１２の各スタッカ３０〜４０の収納状態（言い換えれば五千円券・二千円券を除き各金種別の収納状態）をそれぞれ個別に表示させる。
【００５２】
つまり、制御部１５は、号機番号１の入金機１２の各スタッカ３０〜４０のそれぞれについて、ハーフセンサ４２で貨幣が検出されていなければ、入金残容量に半分以上の余裕のある入金余裕状態にあることを示す「Ｅｍｐｔｙ」の文字を状態表示装置１７の号機番号１用の表示エリア５０の残容量等表示エリア６０〜７０のうちの対応するものに表示させ、ハーフセンサ４２で貨幣が検出されかつニアフルセンサ４３で貨幣が検出されていなければ、入金残容量に余裕のあるものの残容量が半分より少ない入金残容量半状態にあることを示す「Ｈａｌｆ」の文字を状態表示装置１７の号機番号１用の表示エリア５０の残容量等表示エリア６０〜７０のうちの対応するものに表示させる。
【００５３】
また、制御部１５は、号機番号１の入金機１２の各スタッカ３０〜４０のそれぞれについて、ニアフルセンサ４３で貨幣が検出されかつフルセンサ４４で貨幣が検出されていなければ、入金残容量の余裕が少なくなってきたニアフル状態にあることを示す「ＮｅａｒＦｕｌｌ」の文字を状態表示装置１７の号機番号１用の表示エリア５０の残容量等表示エリア６０〜７０のうちの対応するものに表示させ、フルセンサ４４で貨幣が検出されていれば、フル状態にあることを示す「Ｆｕｌｌ」の文字を状態表示装置１７の号機番号１用の表示エリア５０の残容量等表示エリア６０〜７０のうちの対応するものに表示させる。
【００５４】
加えて、制御部１５は、号機番号１の入金機１２の各スタッカ３０〜４０のそれぞれについて、金庫交換中状態であれば「金庫交換中」の文字を、状態表示装置１７の号機番号１用の表示エリア５０の残容量等表示エリア６０〜７０のうちの対応するものに表示させる。
【００５５】
なお、残容量等表示エリア６０〜７０における残容量の文字表示に換えて、残容量または収納量をパーセントで表す数値表示、残容量および収納量を図式的に表すグラフィック表示、およびこれらの適宜組み合わせのいずれも適用可能である。さらに、フル状態を赤色、ニアフル状態を黄色、入金余裕状態および入金残容量半状態を青色等、状態別に色分けしたり点灯点滅等で区別するようにしても良い。
【００５６】
そして、管理機１３の制御部１５は、号機番号１〜ｎ（実施形態では号機番号１〜６）までのすべての入金機１２について、個々の状態に応じて上記と同様の表示を状態表示装置１７のそれぞれ個々の表示エリア５０に表示させる。なお、図４では、状態表示装置１７の号機番号１の表示エリア５０においては、入金可不可表示エリア５１に「入金可」の文字が、使用状態表示エリア５２に「待機中」の文字が、残容量等表示エリア６０〜７０のすべてに「Ｅｍｐｔｙ」の文字が表示されている場合を示している。
【００５７】
これに対して、号機番号２の表示エリア５０においては、使用状態表示エリア５２に「使用中」の文字が表示されており、号機番号３の表示エリア５０においては、残容量等表示エリア６０に「Ｈａｌｆ」の文字が表示されている。さらに、号機番号４の表示エリア５０においては、入金可不可表示エリア５１に「入金可（注意）」の文字が、残容量等表示エリア６１に「Ｆｕｌｌ」の文字が、残容量等表示エリア６３に「ＮｅａｒＦｕｌｌ」の文字が表示されている。加えて、号機番号５の表示エリア５０においては、入金可不可表示エリア５１に「入金不可」の文字が、残容量等表示エリア６０に「Ｆｕｌｌ」の文字が、残容量等表示エリア６３にも「Ｆｕｌｌ」の文字が表示されるとともに使用状態表示エリア５２の文字が消えている。加えて、号機番号６の表示エリア５０においては、入金可不可表示エリア５１に「入金不可」の文字が、残容量等表示エリア６０に「金庫交換中」の文字が、残容量等表示エリア６３にも「金庫交換中」の文字が表示されるとともに使用状態表示エリア５２の文字が消えている。
【００５８】
また、管理機１３の制御部１５は、入金受付の最終時刻までの残り時間を、状態表示装置１７の共用の表示エリア８０に表示させる。
【００５９】
以上のように、状態表示装置１７は、個々の入金機１２毎に、使用中であるか否かをリアルタイムで表示可能とされ、個々の入金機１２毎に、入金可不可状態の情報として、入金可状態、入金可注意状態および入金不可状態のいずれか一つがリアルタイムで表示可能とされ、さらに個々の入金機１２の個々のスタッカ３０〜４０毎に、詳細情報として、残容量が多い順に、入金残容量に半分以上余裕のある入金余裕状態、入金残容量に半分より少ない余裕のある入金残容量半状態、入金残容量の余裕が少なくなってきたニアフル状態および入金残容量がないフル状態の四状態がリアルタイムで表示可能とされている。
【００６０】
そして、状態表示装置１７は、上記した四状態を、紙幣の各スタッカ３０〜３３毎および硬貨の各スタッカ３４〜４０毎に表示可能とされている。
【００６１】
以上に述べたように、本実施形態の入金システム１０によれば、共用の状態表示装置１７が複数の入金機１２の個々の入金可不可状態を表示するため、入金者はまず状態表示装置１７を確認して「入金可」と表示された入金可な入金機１２を確認し、この入金機１２に行って入金処理を行う。このように入金処理のために適切な入金機１２に向かうことができるため、入金の手間を抑制し入金のための時間を短縮することができる。
【００６２】
しかも、共用の状態表示装置１７が複数の入金機１２の個々の入金可不可状態に加えて入金機１２毎に使用中であるか否かを表示するため、入金者はまず状態表示装置１７を確認して入金可かつ非使用中つまり待機中の入金機１２を確認し、この入金機１２に行って入金処理を行う。このように入金処理のためにさらに適切な入金機１２に向かうことができるため、入金の手間をさらに抑制し入金のための時間をさらに短縮することができる。
【００６３】
さらに、状態表示装置１７が、個々の入金機１２毎に、入金残容量に半分以上余裕のある入金余裕状態、入金残容量に半分より少ない余裕のある入金残容量半状態、入金残容量の余裕が少なくなってきたニアフル状態および入金残容量がないフル状態の四状態から択一表示し、しかも、この四状態の択一表示を、紙幣の各スタッカ３０〜３３毎および硬貨の各スタッカ３４〜４０毎に行うため、入金しようとする売上金のスタッカ３０〜３３毎の紙幣量およびスタッカ３４〜４０毎の硬貨量それぞれに応じて適切な入金機１２に行って入金処理を行うことができる。例えば、硬貨の金種混合のスタッカ４０がニアフル状態の入金機１２のみ空いている場合であっても、入金しようとする売上金のうちこのスタッカ４０への硬貨量が少なければ、このニアフル状態の入金機１２に行って入金処理を行うことができる。また、紙幣の金種混合のスタッカ３３がニアフル状態の入金機１２のみ空いている場合であっても、入金しようとする売上金のうちこのスタッカ３３への紙幣量が少なければ、このニアフル状態の入金機１２に行って入金処理を行うことができる。このように入金処理のためにさらに適切な入金機１２に向かうことができるため、待ち時間を含めた入金の時間をさらに短縮することができる。
【００６４】
加えて、状態表示装置１７が、複数の入金機１２の個々の状態をリアルタイムに更新表示可能とされているため、入金処理のために適切な入金機１２に向かうことが確実にできる。
【００６５】
さらに、状態表示装置１７が、複数の入金機１２の設置エリアである入金室１１の入口２０の付近に設置されているため、入金処理のために入金室１１に入口２０から入る入金者が無駄な動きをせずに状態表示装置１７を見ることができる。したがって、入金の手間をさらに抑制し入金のための時間をさらに短縮することができる。
【００６６】
なお、上記実施形態は、状態表示装置１７が、各スタッカ３０〜４０毎に上記した四状態を択一的に表示する場合を例にとり説明したが、入金残容量半状態を入金余裕状態に含めることで三状態を択一的に表示することも可能である。
【００６７】
また、例えば、紙幣用の各スタッカ３０〜３３がすべて紙幣を全金種一括で収納させ、硬貨用の各スタッカ３４〜４０がすべて硬貨を全金種一括で収納させる場合には、状態表示装置１７が、上記した四状態（または三状態）を、全金種一括の硬貨区分および全金種一括の紙幣区分のそれぞれについて表示可能とすることになる。
【００６８】
つまり、紙幣用のすべてのスタッカ３０〜３３のハーフセンサ４２、ニアフルセンサ４３およびフルセンサ４４の検出結果に基づき、紙幣用のスタッカ３０〜３３のうち一つを除いてフルセンサ４４で紙幣が検出されるとともに、残りの一つがハーフセンサ４２で紙幣が検出されかつニアフルセンサ４３で紙幣が検出されていない状態と、紙幣用のスタッカ３０〜３３のうち一つを除いてフルセンサ４４で紙幣が検出されるとともに、残りの一つがニアフルセンサ４３で紙幣が検出されかつフルセンサ４４で紙幣が検出されていない状態と、紙幣用のスタッカ３０〜３３のすべてでフルセンサ４４により紙幣が検出された状態とを除いて、入金可でしかも入金残容量に余裕のある入金余裕状態にあることを示す「Ｅｍｐｔｙ」の文字を全金種一括の紙幣区分に対応させて表示させる。
【００６９】
また、紙幣用のスタッカ３０〜３３のうち一つを除いてフルセンサ４４で紙幣が検出されるとともに、残りの一つがハーフセンサ４２で紙幣が検出されかつニアフルセンサ４３で紙幣が検出されていない状態では、入金可でしかも入金残容量に半分より少ない余裕のある入金残容量半状態にあることを示す「Ｈａｌｆ」の文字を全金種一括の紙幣区分に対応させて表示させる。
【００７０】
さらに、紙幣用のスタッカ３０〜３３のうち一つを除いてフルセンサ４４で紙幣が検出されるとともに、残りの一つがニアフルセンサ４３で紙幣が検出されかつフルセンサ４４で紙幣が検出されていない状態であれば、入金可でしかも入金残容量の余裕が少なくなってきたニアフル状態にあることを示す「ＮｅａｒＦｕｌｌ」の文字を全金種一括の紙幣区分に対応させて表示させる。
【００７１】
加えて、紙幣用のすべてのスタッカ３０〜３３のフルセンサ４４で紙幣が検出されていれば、残容量がなくフル状態にあることを示す「Ｆｕｌｌ」の文字を全金種一括の紙幣区分に対応させて表示させる。硬貨区分についても同様である。
【００７２】
このように、状態表示装置１７が、上記した四状態（または三状態）を、全金種一括の紙幣区分および全金種一括の硬貨区分のそれぞれについて表示可能としても、入金しようとする売上金の紙幣量および硬貨量それぞれに応じて適切な入金機１２に行って入金処理を行うことができる。例えば、硬貨がニアフル状態の入金機のみ空いている場合であっても、入金しようとする売上金の硬貨量が少なければ、このニアフル状態の入金機１２に行って入金処理を行うことができる。また、紙幣がニアフル状態の入金機１２のみ空いている場合であっても、入金しようとする売上金の紙幣量が少なければ、このニアフル状態の入金機に行って入金処理を行うことができる。このように入金処理のためにさらに適切な入金機１２に向かうことができるため、待ち時間を含めた入金の時間をさらに短縮することができる。
【００７３】
なお、上記のように、紙幣用の各スタッカ３０〜３３がすべて紙幣を全金種一括で収納させ、硬貨用の各スタッカ３４〜４０がすべて硬貨を全金種一括で収納させる場合に、状態表示装置１７が、上記した四状態（または三状態）を、すべてのスタッカ３０〜４０について表示するようにしても良い。
【００７４】
また、紙幣用の各スタッカがすべて紙幣を金種別に収納させ、硬貨用の各スタッカがすべて硬貨を金種別で収納させる場合、つまり金種混合のスタッカが設けられない場合には、状態表示装置１７が、上記した四状態（または三状態）を、硬貨の各金種区分毎および紙幣の各金種区分毎に表示可能とすることになる。
【００７５】
つまり、例えば、各スタッカそれぞれについて、ハーフセンサ４１で貨幣が検出されていなければ、入金可でしかも入金残容量に余裕のある入金余裕状態にあることを示す「Ｅｍｐｔｙ」の文字を対応する金種の残容量等表示エリアに表示させる。
【００７６】
また、ハーフセンサ４１で貨幣が検出されかつニアフルセンサ４２で貨幣が検出されていなければ、入金可でしかも入金残容量に余裕のあるものの残容量が半分より少ない入金残容量半状態にあることを示す「Ｈａｌｆ」の文字を対応する金種の残容量等表示エリアに表示させる。
【００７７】
さらに、ニアフルセンサ４３で貨幣が検出されかつフルセンサ４４で貨幣が検出されていなければ、入金可でしかも入金残容量の余裕が少なくなってきたニアフル状態にあることを示す「ＮｅａｒＦｕｌｌ」の文字を対応する金種の残容量等表示エリアに表示させる。
【００７８】
加えて、フルセンサ４４で貨幣が検出されていれば、残容量がなくフル状態にあることを示す「Ｆｕｌｌ」の文字を対応する金種の残容量等表示エリアに表示させる。
【００７９】
このように、状態表示装置１７が、上記した四状態（または三状態）を、紙幣の各金種区分毎および硬貨の各金種区分毎に表示可能な構成としても、入金しようとする売上金の各金種毎の紙幣量および各金種毎の硬貨量それぞれに応じて適切な入金機１２に行って入金処理を行うことができる。例えば、硬貨の所定の金種がニアフル状態の入金機１２のみ空いている場合であっても、入金しようとする売上金のうちこの金種の硬貨量が少なければ、このニアフル状態の入金機１２に行って入金処理を行うことができる。また、紙幣の所定の金種がニアフル状態の入金機１２のみ空いている場合であっても、入金しようとする売上金のうちこの金種の紙幣量が少なければ、このニアフル状態の入金機１２に行って入金処理を行うことができる。このように入金処理のためにさらに適切な入金機１２に向かうことができるため、待ち時間を含めた入金の時間をさらに短縮することができる。
【００８０】
以上においては、ハーフセンサ４２、ニアフルセンサ４３およびフルセンサ４４を用いてスタッカ３０〜４０の貨幣の収納量を検出する場合を例にとり説明したが、入金計数値から割り出すようにしても良い。この場合、入金計数値から割り出された実収納量情報を、各スタッカ３０〜４０毎の基準収納量情報と比較して、上記した四状態（または三状態）のいずれかにあるかを判定することになる。このとき、個々の入金機１２の各スタッカ３０〜４０の基準収納量情報は、管理機１３で記憶しても良く、また、個々の入金機１２が記憶している情報を管理機１３が収集して利用するようにしても良い。さらに、基準収納量情報および実収納量情報は、紙幣用の各スタッカがすべて紙幣を全金種一括で収納させ、硬貨用の各スタッカがすべて硬貨を全金種一括で収納させる場合には、硬貨区分および紙幣区分毎に管理され、紙幣用の各スタッカがすべて紙幣を金種別に収納させ、硬貨用の各スタッカがすべて硬貨を金種別で収納させる場合には、各金種区分毎に管理される。
【図面の簡単な説明】
【００８１】
【図１】本発明の一実施形態の入金システムの入金室への設置状態を概略的に示す平面図である。
【図２】本発明の一実施形態の入金システムの配列状態の入金機を概略的に示す正面図である。
【図３】本発明の一実施形態の入金システムを示すブロック図である。
【図４】本発明の一実施形態の入金システムの状態表示装置の表示例を示す図である。
【符号の説明】
【００８２】
１０  入金システム
１１  入金室（設置エリア）
１２  入金機
１３  管理機
１７  状態表示装置
２０  入口
３０〜４０  スタッカ（収納部）
【図１】
2006031352.tif 000003
【図２】
2006031352.tif 000004
【図３】
2006031352.tif 000005
【図４】
2006031352.tif 000006